(57)【要約】  【課題】  優れた形状の鳩目を縫製できるボタンホールの縫い方法を提供する。  【解決手段】  （Ａ）に示すように開始点５０から左角５２まで直線縫いを行わせ、送りを反転させて一体縫開始点５５まで直線縫いを行わせる。次に（Ｂ）に示すように一体縫開始点５５から下位置Ｂまでタック縫いを行わせ、ラインタック９１の下側を形成させ、（Ｃ）に示すようにバータック９３の縫製を行う。次に（Ｄ）に示すように、右角５３まで直線縫いを行い、更に左角５２を経由して一体縫開始点５５まで直線縫いする。そして、（Ｅ）に示すように、一体縫開始点５５から鳩目ラインタック９１の上側部分を縫い、続いて鳩目９４を縫い、更に右側のラインタック９２を縫って、終了点５１で停止し、ボタンホールを完成する。【選択図】  図３
2008148937.tif 000002
【特許請求の範囲】
【請求項１】
ほぼ平行に形成される一対のラインタックと、該一対のラインタックの一端側に形成されるバータックと、該一対のラインタックの他端側に形成される環状の鳩目と、を有するボタンホールをミシンを用いて形成するボタンホールの縫い方法であって、
前記一対のラインタックと鳩目の縫いに関して；
前記一対のラインタックの一方の一端側から縫いを開始し、
前記一対のラインタックの他方の一端側で縫いを終了し、
前記ラインタックの少なくとも一部と前記鳩目とを一度に一体的に縫う、
ことを特徴とするボタンホールの縫い方法。
【請求項２】
前記バータックの縫いを、前記一対のラインタックと鳩目の縫いの途中で行う、
請求項１のボタンホールの縫い方法。
【請求項３】
前記バータックの縫いを、前記一対のラインタックと鳩目の縫いの終了後に行う、
請求項１のボタンホールの縫い方法。
【請求項４】
ほぼ平行に形成される一対のラインタックと、該一対のラインタックの一端側に形成されるバータックと、該一対のラインタックの他端側に形成される環状の鳩目と、を有するボタンホールをミシンを用いて形成するボタンホールの縫い方法であって、
前記一対のラインタックの一方の一端側から直線縫いを開始し、他端側で折り返して、所定の中間位置でタック縫いを開始して、一端側までタック縫いを行って、一方のラインタックを部分的に縫う第１のステップと、
前記一対のラインタックの他方の一端側から直線縫いを開始し他端側まで直線縫いを行い、更に前記一方のラインタックの他端側まで直線縫いして更に前記中間位置まで直線縫いする第２のステップと、
該中間位置から他端側までタック縫いを行って、一方のラインタックの残りの部分を縫い、更に他端側の鳩目をタック縫いした後、他方のラインタックのタック縫いを行い、該他方のラインタックの一端側で縫いを終了する第３のステップと、
前記第１ステップと第２ステップの間、又は前記第３ステップの後に、前記一対のラインタックの一端側にバータックを縫うステップと、
を有することを特徴とするボタンホールの縫い方法。
【請求項５】
ほぼ平行に形成される一対のラインタックと、該一対のラインタックの一端側に形成されるバータックと、該一対のラインタックの他端側に形成される環状の鳩目と、を有するボタンホールを縫うボタンホールの縫い装置であって、
前記一対のラインタックと鳩目の縫いに関して；
前記一対のラインタックの一方の一端側から縫いを開始させる手段と、
前記一対のラインタックの他方の一端側で縫いを終了させる手段と、
前記ラインタックの少なくとも一部と前記鳩目とを一度に一体的に縫わせる手段と、を有し、
更に前記一対のラインタックと鳩目の縫いの終了後、前記一対のラインタックと鳩目の縫い途中の所定の時、の中の１の時に、前記バータックの縫いを行う手段と、を有する、
ことを特徴とするボタンホールの縫い装置。
【発明の詳細な説明】
【技術分野】
【０００１】
この発明は、ボタンホールの縫い方法及び装置に関する。
【背景技術】
【０００２】
ミシンによるボタンホール縫いは、ミシンの押さえ棒に、専用のボタンホール押さえを取付けることにより行われている。該押さえに備えられた布と共に移動するスライダーの往復動により、等しい左右長さの縫い目を形成するようになっている。
一方ボタンホールの形状には、鳩目ボタンホールと呼ばれる、環状の鳩目部を有するボタンホールがあり、このボタンホールは、前記鳩目と箱型の縁かがり部とで形成されている。箱型の縁かがり部は、平行に形成される一対のラインタックと、該一対のラインタックの一端に形成されるバータックとから構成される。
このようなボタンホールの縫いを、従来は文献１に示すように次の方法で行っていた。図７において、
（ア）最初に環状の鳩目９４の頂点aから縫い始め、ついでラインタック９１をｂまで縫って、鳩目の左半分と左側ラインタックを形成する。
そして、ｂで前記ボタンホール押さえに連動するセンサが端部を感知すると、ミシンは送り方向を反転させて直線縫いでａ’まで縫い、ａ’で同様にセンサ感知後、最初の縫い始めの位置ａまで戻る。
（イ）次に再びaから縫い始め、ｂ’までの縫いを行ない、鳩目９４の右半分と右側ラインタック９１とを形成する。
（ウ）次にｂ’でセンサを感知して縁かがり縫いを停止して、最後にバータック９３を縫い、ボタンホールの縫製が完了する。
【０００３】
【特許文献１】特開昭５９−５５２８５号公報
【発明の開示】
【発明が解決しようとする課題】
【０００４】
しかし、上記した従来の縫い方法では、鳩目９４を半分ずつ分割して縫うため、図７の（エ）に示すように、鳩目９４にずれ９９が生ずることがある問題があった。
これは、ボタンホール押さえのセッティングの際、布と共に移動するスライダーが充分移動端に位置しない状態のまま縫製を始めることにより縫いの開始点と終了点にズレが生ずるために起因するもので、鳩目９４は円形状となっていることから、僅かなズレも目立つことになり、非常に見苦しい鳩目ボタンホール形状となる。そのため、縫い作業者はボタンホール押さえをセッティングする際に慎重な作業が必要であり、作業者に大きな負担を強いていた。
本発明は上記従来技術の問題を解決することを目的とする。
【課題を解決するための手段】
【０００５】
上記目的を達成するために、本発明は、ほぼ平行に形成される一対のラインタックと、該一対のラインタックの一端側に形成されるバータックと、該一対のラインタックの他端側に形成される環状の鳩目と、を有するボタンホールをミシンを用いて形成するボタンホールの縫い方法であって、前記一対のラインタックと鳩目の縫いに関して；前記一対のラインタックの一方の一端側から縫いを開始し、前記一対のラインタックの他方の一端側で縫いを終了し、前記ラインタックの少なくとも一部と前記鳩目とを一度に一体的に縫う、ことを特徴とする。
前記バータックの縫いは、前記一対のラインタックと鳩目の縫いの途中で行うことも可能であるし、前記一対のラインタックと鳩目の縫いの終了後に行うことも可能である。
【発明の効果】
【０００６】
本発明のボタンホールの縫い方法によれば、縫いの開始点と終了点にずれがあっても、環状の鳩目は連続して形成されるから、形状が乱れることがない。またずれが生じる可能性がある縫いの開始点と終了点はバータック縫いが行われるから、目立つことが無い、等の効果がある。
【発明を実施するための最良の形態】
【０００７】
以下本発明の実施の形態を図面に基づいて説明する。
最初に図１及び図２によりボタンホール縫いを行うミシンの構成を説明する。
制御装置１はミシン制御プログラム３０によりミシン全体の制御を行っている。制御装置１は模様選択装置４８により選択された縫いデータ３１のデータにより、振幅モータ駆動装置４０、振幅モータ４１、送りモータ駆動装置４２、送りモータ４３及びミシンモータ駆動装置４４、ミシンモータ４５を制御して鳩目を有するボタンホール縫いを実行させる。
ボタンホール縫いに際しては、図２に示すようにボタンホール押さえ１０を押さえ棒に装着して行う。該ボタンホール押さえ１０に装着したボタンの大きさなどによりスライダー１１の移動範囲が制限され、該制限範囲の上下位置が上位置センサ２と下位置センサ３により検出されるようになっている。上位置センサ２と下位置センサ３は、実際はセンサレバー４のストライカになっており、センサレバー４が上位置センサ２と下位置センサ３に当接した時に傾動して信号を出力するように構成されている。なお、以下の説明では簡単のため上位置センサ２と下位置センサ３から検出信号が出力されることにする。
なお、３２は上軸センサ、４６は表示制御装置、４７は表示装置である。
【０００８】
図３と図４によりボタンホールの縫い方法を説明する。
図３の（Ａ）に示すように、開始点５０から縫いを開始する。この開始点５０の位置は、本来下位置Ｂと一致するべきであるが、位置あわせが不十分で下位置Ｂよりも上の位置から縫い始める例を説明する。
【０００９】
制御装置１は鳩目ボタンホール縫い開始の操作に対応して、開始点５０から左角５２まで直線縫いを行わせる（ステップＳ１）。この左角５２の位置は上位置Ｔの位置と一致し、この位置で上位置センサ２から信号が出力される。該信号に応答して制御装置１は送りモータ駆動装置４２を制御して送りを反転させ、一体縫開始点５５まで直線縫いを行わせる（ステップＳ２）。一体縫開始点５５はラインタック９１の上下の任意位置に予め設定しておく。
【００１０】
次に（Ｂ）に示すように一体縫開始点５５から下位置Ｂで下位置センサ３からの信号が出力されるまでタック縫いを行わせ、ラインタック９１の下側を形成させる（ステップＳ３）。次いで（Ｃ）に示すようにバータック９３の縫製を、開始点９３ｓから終了点９３ｅまで実行する（ステップＳ４）。
【００１１】
次に（Ｄ）に示すように、終了点９３ｅから若干内側に入った位置から右角５３まで直線縫いを行い（ステップＳ５）、上位置Ｔで上位置センサ２からの信号が出力されると、更に左角５２を経由して一体縫開始点５５まで直線縫いする（ステップＳ６）。
【００１２】
そして、（Ｅ）に示すように、一体縫開始点５５からラインタック９１の上側部分を縫い、続いて鳩目９４を縫い、更に右側のラインタック９２を縫って（ステップＳ７）、下位置Ｂで下位置センサ３から信号が出力されると縫いを停止し、ここを終了点５１とし、ボタンホールを完成する（ステップＳ８）。
【００１３】
上記の縫い方法によれば、ラインタック９１の途中から鳩目９４とラインタック９２まで一度に一体的に縫いが行われるから、形状の乱れが生ずることがなく、また開始点５０と終了点５１にずれがあっても、鳩目９４にずれが現れることがなく、外観の優れたボタンホールが縫製できる。また開始点５０と終了点５１の位置にバータック９３が縫われるから、開始と終了で多少の位置ズレがあってもボタンホール縫い目として目立つことは無い。そのため、開始点５０の位置あわせを厳密に行う必要がなく、操作性が向上する。
更にラインタック９１と９２は同一方向に形成されるからラインタック縫いの形状が同一となり縫い上がりが綺麗なものとなる、などの効果がある。
【００１４】
次に他の縫い方法の実施形態を図５と図６に示す。
図５の（Ａ）に示すように、開始点５０から縫いを開始する。同様にこの開始点５０の位置あわせが不十分で下位置Ｂよりも上の位置から縫い始める例を説明する。
【００１５】
制御装置１は鳩目ボタンホール縫い開始の操作に対応して、開始点５０から左角５２まで直線縫いを行わせる（ステップＳ２０）。この左角５２の位置は上位置Ｔの位置と一致し、この位置で上位置センサ２から信号が出力される。該信号に応答して制御装置１は送りモータ駆動装置４２を制御して送りを反転させ、一体縫開始点５５まで直線縫いを行わせる（ステップＳ２１）。一体縫開始点５５はラインタック９１の上下の任意位置に予め設定しておく。
【００１６】
次に（Ｂ）に示すように一体縫開始点５５から下位置Ｂで下位置センサ３からの信号が出力されるまでタック縫いを行わせ、ラインタック９１の下側を形成させる（ステップＳ２２）。次いで（Ｃ）に示すようにラインタック９１のタック縫い終了点（下位置Ｂ）から右角５３まで直線縫いを行い（ステップＳ２３）、上位置Ｔで上位置センサ２からの信号が出力されると、更に左角５２を経由して一体縫開始点５５まで直線縫いする（ステップＳ２４）。
【００１７】
そして、（Ｄ）に示すように、一体縫開始点５５からラインタック９１の上側部分をタック縫いし、続いて鳩目９４をタック縫いし、更に右側のラインタック９２をタック縫いして（ステップＳ２５）、下位置Ｂで下位置センサ３から信号が出力されるまで一体縫いを行い、終了点５１で終了する（ステップＳ２６）。
【００１８】
そして、（Ｅ）に示すようにバータック９３を開始点９３ｓから終了点９３ｅまで縫ってボタンホールを完成する（ステップＳ２７）。
【００１９】
以上説明した実施形態では、最後にバータック９３を縫うため、開始点５０と終了点５１が縫製されてから、そのずれを覆う縫い目が形成されるから、縫い上がりが更に綺麗なものとなる効果がある。
【図面の簡単な説明】
【００２０】
【図１】本発明の一実施形態を示す概略ブロック図。
【図２】本発明の一実施形態の説明図。
【図３】本発明の縫い方法の一実施形態示す説明図。
【図４】本発明の縫い方法の一実施形態の動作を示すフローチャート図。
【図５】本発明の縫い方法の他の実施形態示す説明図。
【図６】本発明の縫い方法の他の実施形態の動作を示すフローチャート図。
【図７】従来の縫い方法の説明図。
【符号の説明】
【００２１】
１：制御装置、２：上位置センサ、３：下位置センサ、４：センサレバー、１０：ボタンホール押さえ、１１：スライダー、３０：ミシン制御プログラム、３１：縫いデータ、３２：上軸センサ、４０：振幅モータ駆動装置、４１：振幅モータ、４２：送りモータ駆動装置、４３：送りモータ、４４：ミシンモータ駆動装置、４５：ミシンモータ、４６：表示制御装置、４７：表示装置、４８：模様選択装置、５０：開始点、５１：終了点、５２：左角、５３：右角、５５：一体縫開始点、９１：ラインタック、９２：ラインタック、９３：バータック、９４：鳩目、９９：ずれ。
【図１】
2008148937.tif 000003
【図２】
2008148937.tif 000004
【図３】
2008148937.tif 000005
【図４】
2008148937.tif 000006
【図５】
2008148937.tif 000007
【図６】
2008148937.tif 000008
【図７】
2008148937.tif 000009